(57)【特許請求の範囲】
【請求項１】
液体を収容する液貯留器と、
前記液貯留器の開口端部から突出し前記液体を滴下させる滴下部と、
前記開口端部を囲むように設けられ、前記液貯留器に固定されるとともに、前記滴下部が挿通された開口部が形成されて前記滴下部が上側に突出する上壁部を有する固定部と、
前記固定部に設けられるヒンジ部と、
前記ヒンジ部を介して前記固定部に連結され、前記滴下部の先端部を液密に封止する閉栓部を有し、前記ヒンジ部の回動軸線を中心に回動することにより前記閉栓部で前記滴下部を開閉可能に設けられたキャップ部とを備え、
前記ヒンジ部は、前記液貯留器の高さ方向において、前記回動軸線が、前記開口端部よりも前記滴下部側に位置するように設けられていることを特徴とする点眼用容器。
【請求項２】
前記ヒンジ部の前記回動軸線が、前記滴下部の前記先端部と前記閉栓部とが接触して形成される液密部と略同じ高さの位置に設けられていることを特徴とする請求項１に記載の点眼用容器。
【請求項３】
前記固定部に、係合部又は被係合部のいずれか一方が設けられ、
前記キャップ部に、前記閉栓部により前記滴下部の前記先端部を封止した際に前記固定部に設けられた前記係合部を係合させる被係合部又は前記固定部に形成された前記被係合部に係合する係合部が設けられていることを特徴とする請求項１又は２に記載の点眼用容器。
【請求項４】
前記固定部に設けられた前記係合部又は前記被係合部が、前記滴下部と前記ヒンジ部との間に設けられている請求項３に記載の点眼用容器。
【請求項５】
前記固定部に設けられた前記係合部又は前記被係合部は、前記回動軸線を中心とする円の径方向に沿って設けられていることを特徴とする請求項３又は４に記載の点眼用容器。
【請求項６】
前記閉栓部で前記滴下部を閉じた状態において、
前記キャップ部には、水平方向に突出する爪部が備えられ、
前記爪部は、前記ヒンジ部の前記回動軸線と略同じ高さに位置していることを特徴とする請求項１から５のいずれか一項に記載の点眼用容器。
【請求項７】
前記キャップ部は、天壁部と、前記閉栓部で前記滴下部を閉じた状態において、前記滴下部の周囲を囲むように前記天壁部の周縁から垂下する上周壁部とを備え、前記上周壁部の一部において前記ヒンジ部を介して前記固定部と連結され、
前記閉栓部で前記滴下部を閉じた状態において、前記爪部は、前記上周壁部の鉛直方向中間部に備えられていることを特徴とする請求項６に記載の点眼用容器。
【発明の詳細な説明】
【技術分野】
【０００１】
この発明は、点眼液の収容及び滴下に用いられる点眼用容器に関する。本願は、２０１３年７月５日に、日本に出願された特願２０１３−１４２１８４号に基づき優先権を主張し、その内容をここに援用する。
【背景技術】
【０００２】
一般に、点眼用容器は、点眼液を収容する液貯留器（「容器本体」とも言う）と、点眼液を滴下する注出ノズルと、貯留容器を閉塞するキャップとを備えている。点眼用容器の注出ノズルは、貯留容器に収容された点眼液を、容器を斜めに傾けた状態で滴下できるように、一定の長さを備えた突出形状を有する。また、キャップは、例えばその天面自体や天面に設けられた栓部材により構成される封止手段を有する。封止手段は、注出ノズルの先端を押さえつけたり、注出ノズルの先端に挿入したり、またこれらの手段を組み合わせたりすることによって、注出ノズルの先端をシールして、液密性を担保している。【０００３】
貯留容器の閉塞部材であるキャップとしては、ツイスト式キャップなどの分離式のキャップがある。この他、使い勝手をより向上させるために、片手でキャップの開閉が可能なヒンジ式のキャップ等が知られている（例えば特許文献１）。
キャップによる点眼用容器の液密性は、一般に、注出ノズルの先端とキャップに設けられた栓部材とを係合させ、注出ノズルの先端と栓部材との間に液密部（すなわちシール領域）を形成させることにより担保される。例えば、上下方向に可動する分離式キャップを用いた点眼用容器は、キャップに設けられた封止手段（閉栓部とも言う）と注出ノズル先端とが相対的に上下動して係合することにより、液密性が担保されている。この液密部は、キャップが被せられる時に、注出ノズル先端と栓部材との係合状態が変動し得ることに伴い、液密部の液密性が変動することがある。従って、点眼用容器の液密性を向上させるために、液密部は、キャップが可動する方向に追従する方向に十分な寸法をもって形成される必要がある。
【先行技術文献】
【特許文献】
【０００４】
【特許文献１】日本国特開２００２−３６２６０３号公報
【発明の概要】
【発明が解決しようとする課題】
【０００５】
分離式キャップを用いた点眼用容器は、上下方向に液密部、すなわち封止手段と注出ノズルとの接触幅（長さ）を形成することにより、注出ノズルの先端と封止手段との係合状態の変動を吸収することができ、その液密性を担保することが可能である。一方、回動するヒンジ式のキャップを用いた点眼用容器は、キャップ部の回動方向に追従して液密部の幅を持たせなければならない。したがって、液密部の形成位置によっては前記液密部を斜めに設ける場合があり、容器設計が複雑になるという問題があった。
これに対し、上記特許文献１の点眼用容器は、注出ノズルの先端内周面をテーパ状に拡開させて栓部材の嵌入方向を規制することで、注出ノズルの先端と封止手段との係合状態の変動を吸収している。しかし、上記特許文献１の点眼用容器は、より効率的に点眼用容器の液密性を担保するという観点からは、改良の余地があった。【０００６】
そこで、本発明は、閉栓時に高い液密性が担保可能な点眼用容器を提供することを課題とする。
【課題を解決するための手段】
【０００７】
本発明の第１の態様に係る点眼用容器は、液体を収容する液貯留器と、前記液貯留器の開口端部から突出し前記液体を滴下させる滴下部と、前記開口端部を囲むように設けられ、前記液貯留器に固定される固定部と、前記固定部に設けられるヒンジ部と、前記ヒンジ部を介して前記固定部に連結され、前記滴下部の先端部を液密に封止する閉栓部を有し、前記ヒンジ部の回動軸線を中心に回動することにより前記閉栓部で前記滴下部を開閉可能に設けられたキャップ部とを備え、前記ヒンジ部は、前記液貯留器の高さ方向において、前記回動軸線が、前記開口端部よりも前記滴下部側に位置するように設けられていることを特徴とする。
本発明の第１の態様によれば、前記液貯留器の高さ方向において、ヒンジ部の回動軸線が液貯留器の開口端部よりも高い前記滴下部側の位置に設定されているため、キャップ部が回動する方向に沿うように滴下部の先端部を配置できる。すなわちキャップ部の回動（キャップ部の開閉動作）に伴って、閉栓部が滴下部に対し適切な向きで開閉され、液密部をより確実に設定することができるため、良好な液密性を担保することができる。【０００８】
本発明の第２の態様によれば、前記第１の態様に係る点眼用容器において、前記ヒンジ部の前記回動軸線が、前記滴下部の前記先端部と前記閉栓部とが接触して形成される液密部と略同じ高さの位置に設けられていてもよい。
本発明の第２の態様によれば、前記回動軸線の高さと液密部の高さがほぼ同じ高さとなるため、キャップ部が回動する方向、すなわち、閉栓部が回動する方向と、閉栓部が滴下部に対して封止する方向とをほぼ等しく設定し、キャップ部の閉栓部と滴下部との係合状態の変動を抑えることができる。この結果、キャップ部と係合状態の変動を吸収するために閉栓部及び滴下部の寸法を液密部より広く設定する必要がない。また、滴下部の先端に近い部位において、より安定的かつ効率的に液密性を担保することができる。さらに、キャップ部の回動に伴い閉栓部と滴下部との係合状態の変動を抑えることにより、液密部にかかる負荷も減じることができるため、滴下部または閉栓部においてクラック等の容器破損が生じるリスクも低減することができる。【０００９】
本発明の第３の態様によれば、前記第１又は第２の態様に係る点眼用容器において、前記固定部に、係合部又は被係合部のいずれか一方が設けられ、前記キャップ部に、前記閉栓部により前記滴下部の前記先端部を封止した際に前記固定部に設けられた前記係合部を係合させる被係合部又は前記固定部に形成された前記被係合部に係合する係合部が設けられていてもよい。
本発明の第３の態様によれば、キャップ部が閉じた状態を確実に維持することができる。【００１０】
本発明の第４の態様によれば、前記第３の態様に係る点眼用容器において、前記固定部に設けられた前記係合部又は前記被係合部が、前記滴下部と前記ヒンジ部との間に設けられていてもよい。
本発明の第４の態様によれば、係合部又は被係合部が点眼時に邪魔になることを防止できる。
なお、前記固定部に前記係合部又は前記被係合部を設ける場合は、前記係合部又は前記被係合部がヒンジ部の回動軸線と略同じ高さ位置に設けられていることがより望ましい。【００１１】
本発明の第５の態様によれば、前記第３又は第４の態様に係る点眼用容器において、前記固定部に設けられた前記係合部又は前記被係合部は、ヒンジ部の回動軸線を中心とする円の径方向に沿って設けられていてもよい。
本発明の第５の態様によれば、係合部を滴下部からより離れた位置に設けることが可能になるため、点眼時に係合部が邪魔にならず、また蓋部材であるキャップ部が閉じた状態を確実に維持することができる。【００１２】
本発明の第６の態様によれば、前記第１から第５のいずれか一つの態様に係る点眼用容器は、前記閉栓部で前記滴下部を閉じた状態において、前記キャップ部には、水平方向に突出する爪部が備えられていてもよい。爪部は、前記ヒンジ部の前記回動軸線と略同じ高さに位置していてもよい。
本発明の第６の態様によれば、前記閉栓部による前記滴下部の先端の封止の際、すなわち、キャップ部を開閉させる際の回動動作において力を作用させやすい。【００１３】
本発明の第７の態様によれば、前記第６の態様に係る点眼用容器において、前記キャップ部は、天壁部と、前記閉栓部で前記滴下部を閉じた状態において、前記滴下部の周囲を囲むように前記天壁部の周縁から垂下する上周壁部とを備え、前記上周壁部の一部において前記ヒンジ部を介して前記固定部と連結され、前記閉栓部で前記滴下部を閉じた状態において、前記爪部は、前記上周壁部の鉛直方向中間部に備えられていてもよい。
本発明の第７の態様によれば、前記キャップ部を閉じた時に爪部の下方に位置する上周壁部と爪部との間に指を安定的に掛けてキャップ部を回動させることができる。
【発明の効果】
【００１４】
上記した本発明の各態様によれば、キャップ部を回動させて注出ノズルの先端を封止する点眼用容器において、注出ノズル先端の液密性を高くすることができるという効果が得られる。
【図面の簡単な説明】
【００１５】
【図１】本発明の第１の実施形態に係る点眼用容器の蓋を開いた状態を示した正面図である。
【図２Ａ】本発明の第１の実施形態に係る点眼用容器の蓋を閉じた状態の要部を示した正面図である。
【図２Ｂ】本発明の第１の実施形態に係る点眼用容器の蓋を閉じた状態の要部を示した側面図である。
【図３】図１の点眼用容器の要部であり、図２Ｂに示すＸ−Ｘ線における正面断面図である。
【図４Ａ】図２Ｂに示すＸ−Ｘ線における正面断面図である。
【図４Ｂ】図２Ａに示すＺ−Ｚ線における側面断面図である。
【図５】本発明の第２の実施形態に係る点眼用容器の蓋を開けた状態の要部を示した正面断面図である。
【図６】本発明の第２の実施形態に係る点眼用容器の蓋を閉じた状態の要部を示した正面断面図である。
【図７】本発明の第３の実施形態に係る点眼用容器の蓋を開けた状態の要部を示した正面図である。
【図８】本発明の第３の実施形態に係る点眼用容器の蓋を開けた状態の要部を示した正面断面図である。
【図９】本発明の第３の実施形態に係る点眼用容器の蓋を閉じた状態の要部を示した側面図である。
【図１０】本発明の第１の実施形態の変形例の点眼用容器の蓋を開けた状態を示した正面断面図である。
【発明を実施するための形態】
【００１６】
以下、本発明の各実施形態に係る点眼用容器について図面を参照して説明する。
図１は、第１の実施形態に係る点眼用容器１Ａの蓋を開けた状態を示す正面図である。図２Ａは、蓋を閉じた状態の本実施形態に係る点眼用容器１Ａの要部を示した正面図である。図２Ｂは図２Ａの側面図である。
【００１７】
図１，図２Ａ，図２Ｂに示すように、本実施形態に係る点眼用容器１Ａは、容器本体である液貯留器２と、注出ノズル３と、蓋部材４とを備えている。注出ノズル３は、液貯留器２に支持されている。蓋部材４は、液貯留器２の上部を覆うように構成されている。
液貯留器２は、図３に示すように、貯留部５と、口頸部６とを備えている。貯留部５は、液体（点眼液）を内部に収容させる液収容部である。口頸部６は、貯留部５の上端が上方に向けて円筒状に突出して形成されている。
【００１８】
貯留部５は、図１、図３に示すように、底壁部７と、側壁部８と、肩部１０とを備えている。側壁部８は、底壁部７の外周から立設されている。図３に示すように、肩部１０は、貯留部５の内孔Ｓ１を中央の開口部９を残して閉塞するように側壁部８の上端から開口部９まで延びている。肩部１０と、側壁部８との間には角部５ａが形成されている。
側壁部８は、図１，図２Ｂに示すように、一対の平側板部８ａ，８ａと、一対の湾曲側板部８ｂ，８ｂとを備え、平面視で略扁平な筒状に形成されている。一対の平側板部８ａ，８ａは、水平方向に幅広に形成され、互いに対向している。一対の湾曲側板部８ｂ，８ｂは、平面視略円弧状に形成され、水平方向（図２Ｂに示す矢印Ｙ方向）の寸法が平側板部８ａ，８ａよりも小さく形成されている。
【００１９】
図３に示すように、口頸部６は、肩部１０の開口部９の周縁から、一定径を有する円筒状に立ち上がり、その上端で開口している。貯留部５の内孔Ｓ１と、口頸部６内の空間Ｓ２とは連通している。
口頸部６の外周面６ａの下部（底壁部７側）には、周方向外側に延びる突条１５が周設されている。この突条１５は、後述する蓋部材４を係合可能な構成を有する。
貯留部５には、その内部（内孔Ｓ１）に点眼液（目薬）が収容される。
【００２０】
注出ノズル３は、図４Ａに示すように、断面円形の部材であり、内部に一方向に貫通する点眼液の注液孔１６が形成されている。この注出ノズル３は、中栓部１７と、張出壁部１８と、滴下部１９とを備えている。中栓部１７は筒状に形成され、図３に示す口頸部６の開口端部６ｔから液貯留器２に液密に挿入される。張出壁部１８は、中栓部１７の上端に形成され、口頸部６の上端面６ｂに係合するように環状に形成されている。滴下部１９は、張出壁部１８の上面中央から上方に突出して形成され、先端縁１９ｔから貯留部５内の点眼液を滴下させる。
【００２１】
図１に示すように、蓋部材４は、固定部２０と、ヒンジ部２１と、キャップ部２２とを備えている。固定部２０は、液貯留器２の肩部１０近傍の角部５ａに固定される。ヒンジ部２１は、固定部２０に設けられている。キャップ部２２は、ヒンジ部２１を介して回動自在に固定部２０に連結されている。キャップ部２２は、注出ノズル３の注液孔１６（図３参照）を開閉する。
固定部２０は、図４Ａに示すように、下周壁部２５と、上壁部２６と、把持壁部２７とを備えている。下周壁部２５は、貯留部５の側壁部８の形状に略沿って形成され、肩部１０を覆うように設けられている。上壁部２６は、下周壁部２５の上端に配されている。把持壁部２７は、上壁部２６の下面から断面円弧状に垂下し口頸部６を把持するように構成されている。
【００２２】
上壁部２６は、平板状に形成され、下周壁部２５の上端に水平に配されている。上壁部２６は、その板面の中央付近に、注出ノズル３を挿通させる開口部１４が形成されている。
【００２３】
下周壁部２５は、図３に示すように、板部材により形成されている。下周壁部２５は、液貯留器２に蓋部材４が取り付けられた状態で、側壁部８に沿って肩部１０の下端（角部５ａ）から板部材が立ち上がり、肩部１０及び口頸部６を内包するように貯留部５の上部に固定されている。この下周壁部２５は、図１に示すように、注出ノズル３を境としてヒンジ部２１側に板状の延出部３０を有している。延出部３０は、貯留部５の平側板部８ａ及び湾曲側板部８ｂの形状に沿って形成され、滴下部１９の高さ方向の中間部まで延出している。
図３，図４Ｂに示すように、延出部３０の互いに対向する内壁面の下部には、略水平方向に延在する突条からなる一対の被係合部３６が形成されている（図３において、被係合部３６の一方は不図示）。
【００２４】
把持壁部２７は、図３に示すように、上壁部２６に形成された開口部１４の周縁に沿って垂下する板部材である。把持壁部２７は、口頸部６の外周面６ａを把持壁部２７の互いに対向する方向から挟み込んでいる。把持壁部２７の内壁面には、周方向に溝２４が形成されている。溝２４が、口頸部６の突条１５に嵌合して把持壁部２７が口頸部６に堅く固定できるように構成されている。
【００２５】
キャップ部２２は、図４Ａ，図４Ｂに示すように、天壁部２９と、上周壁部２８とを備えている。蓋部材４のキャップ部２２を閉じた状態において、天壁部２９は、滴下部１９の上部を覆う。上周壁部２８は、蓋部材４のキャップ部２２を閉じた時、（以下、「閉蓋時」という場合がある）に滴下部１９の周囲を囲むように天壁部２９の周縁２９ｂから垂下して形成されている。
天壁部２９は、その下面２９ａ中央に形成された閉栓部３５を備えている。閉栓部３５は、天壁部２９の下面２９ａに形成された突起であり、注液孔１６の先端に嵌入されるように構成されている。
なお、上周壁部２８は、その表面が下周壁部２５の表面と略面一になるように形成されている。
ヒンジ部２１が設けられた側と反対側の上周壁部２８の端縁には、水平方向に突出する爪部３１が形成されている。爪部３１は、ユーザーが爪部３１に指をひっかけてキャップ部２２が容易に開閉できるように構成されている。
【００２６】
図１，図４Ｂに示すように、上周壁部２８のヒンジ部２１近傍には、嵌合凹部３７が形成されている。嵌合凹部３７は、閉蓋時に延出部３０に対向配置させるように、延出部３０の形状に合わせて板面を短手方向（図４Ｂに示す矢印Ｙ方向）に凹ませて形成されている。
嵌合凹部３７の表面には、延出部３０の内壁面に形成された被係合部３６を乗り越え、この被係合部３６に係合可能な突条からなる係合部３８が形成されている。嵌合凹部３７は、閉蓋時に延出部３０に嵌合させる。
この係合部３８と被係合部３６とは、滴下部１９を中心としてヒンジ部２１側（ヒンジ部２１の近傍）において互いに係合自在な位置関係となるよう設けられている。このため、キャップ部２２が固定部２０に確実に係合できるように構成されている。
【００２７】
図３，図４Ａに示すように、キャップ部２２は、ヒンジ部２１及び固定部２０と一体的に成形され、固定部２０に対して回動自在に設けられている。
ヒンジ部２１は、図２Ａに示すように、下側連結部２１ａと、上側連結部２１ｂとを備え、回動軸線Ｌ１を図２Ａの奥行き方向（図２Ｂに示す矢印Ｙ方向）に沿わせて設けられている。下側連結部２１ａは、延出部３０の上端に連設されている。上側連結部２１ｂは、下側連結部２１ａと対向する位置に形成されている。そして、下側連結部２１ａと上側連結部２１ｂとの間には、薄肉に形成された折曲部Ｐが形成され、固定部２０とキャップ部２２とを折曲自在に連結させている。
上記構成を有するヒンジ部２１は、図１に示すように、回動軸線Ｌ１が滴下部１９の先端付近に位置するように設けられている。具体的には、高さ方向（図１に示す矢印Ｔ方向）において、回動軸線Ｌ１は、滴下部１９の基端（すなわち図３に示す口頸部６の開口端部６ｔよりも上方位置）以上先端縁１９ｔ以下の高さとなる位置に設けられている。そして、ヒンジ部２１の回動軸線Ｌ１を中心にキャップ部２２を回動させた際に、滴下部１９の先端縁１９ｔが閉栓部３５の軌跡に沿う位置に配置される。その結果、キャップ部２２の固定部２０側への回動に伴って、閉栓部３５で図３に示す注液孔１６を閉栓できるように構成されている。
【００２８】
液貯留器２は、ポリエステル樹脂、ポリオレフィン樹脂、エラストマー等の合成樹脂材料により形成されている。これらの合成樹脂材料は、具体的にはポリエチレンテレフタレート、ポリエチレンナフタレート、ポリエチレン、ポリプロピレン、エラストマー等が取り扱いやすさの点で好ましい。また、注出ノズル３は、ポリオレフィン樹脂等の合成樹脂材料により形成されている。注出ノズル３を形成する合成樹脂材料は、具体的には、ポリエチレン、ポリプロピレン等が取り扱い易さの点で好ましい。
【００２９】
以上の構成を備える固定部２０は、液貯留器２の上部を覆った際に、把持壁部２７に設けられた溝２４が突条１５に係合して、把持壁部２７が口頸部６をその側方から把持する。さらに、口頸部６内に中栓部１７が挿入されて液密に固定されている。また、キャップ部２２は、閉蓋時に閉栓部３５が滴下部１９の注液孔１６の先端に液密に挿入され、注出ノズル３ないし滴下部１９の先端が液密に封止されるように構成されている。この閉栓部３５と滴下部１９とが液密に当接し滴下部１９を封止している部分が液密部Ｆである（図４Ａ，図４Ｂ参照）。
【００３０】
次に、本実施形態に係る点眼用容器１Ａの使用方法及び点眼用容器１Ａから点眼液を点眼した際の作用及び機能について説明する。
点眼用容器１Ａを使用する際、ユーザーは、図４Ａに示すキャップ部２２の爪部３１に指を掛け、爪部３１を固定部２０に対して相対的に上方に移動させる。そうすると、図１，図４Ｂに示すキャップ部２２の嵌合凹部３７に形成された係合部３８が延出部３０の内壁面に形成された被係合部３６を乗り越えて延出部３０に対する係合が解除され、キャップ部２２が回動軸線Ｌ１を軸として回動してキャップ部２２が開けられる。
そして、点眼後、ユーザーは、キャップ部２２を固定部２０に被せる方向に回動させ、被係合部３６にクリック音を発生させつつ係合部３８を係合させてキャップ部２２を閉じる。
【００３１】
本実施形態に係る点眼用容器１Ａによれば、キャップ部２２がヒンジ部２１により固定部２０に回動自在に連結されているため、ユーザーがキャップ部２２の爪部３１に指を掛止して片手で容易にキャップ部２２を開閉することが可能となる。
【００３２】
本実施形態に係る点眼用容器１Ａは、図１，図３に示すように回動軸線Ｌ１が、滴下部１９の先端部１９ａ、より好ましくは滴下部１９の先端縁と略同じ高さに位置するようにヒンジ部２１の回動軸線Ｌ１が設けられている。このため、キャップ部２２が閉じられて閉栓部３５が鉛直下方を向くときに、注液孔１６を閉栓させることができる。すなわち、回動軸線Ｌ１が、滴下部１９先端付近に位置するので、図４Ａに示すように、閉栓部３５の軸線Ｌ２と注液孔１６の軸線Ｌ３とは、閉栓部３５による滴下部１９の先端の閉栓時に、閉栓部３５の回動軌跡が形成する円周の接線上にある。このため、双方の軸線Ｌ２、Ｌ３を円滑に合わせて閉栓部３５を滴下部１９の先端内に挿入することができる。その結果、キャップ部２２を回動させるヒンジ部２１を備えた蓋部材４を点眼用容器１Ａに用いた場合に、点眼液の封止を確実に行うことができる。なお、滴下部１９の先端位置とは、滴下部１９と閉栓部３５とが液密に当接して形成される液密部Ｆから先端縁１９ｔまでの位置を指す。
【００３３】
また、閉栓部３５と滴下部１９の先端とは、閉栓時に、それぞれの軸線Ｌ２，Ｌ３がキャップ部２２の回動軌跡が形成する円周の接線上に位置するので、閉栓部３５は、滴下部１９の軸線Ｌ２の方向に沿って係合される。このため、閉栓部３５の挿入時に閉栓部３５が滴下部１９に接触して変形させることを抑制することができ、閉栓部３５の劣化を防止して液密性の高い注液孔１６の封止を長期間維持することができる。
【００３４】
また、図４Ｂに示すように、被係合部３６と係合部３８とが係合する構成とすることで、閉蓋時に、キャップ部２２に横方向又は傾斜する方向からの力が加わっただけでは開蓋し難い。一方で、閉蓋時に、キャップ部２２に鉛直方向上向きの力が加わった場合にキャップ部２２が開口される。すなわちキャップ部２２の閉蓋状態を確実に維持することができる。
【００３５】
次に、本発明の第２の実施形態について図５，図６を用いて説明する。
本実施形態において第１の実施形態と同一の構成については同一の符号を付し、その説明を省略する。
本実施形態に係る点眼用容器１Ｂは、図５に示すように被係合部３６が回動軸線Ｌ１の高さ位置と略同位置に形成されている。
【００３６】
また、滴下部１９が固定部２０の水平方向中央よりもヒンジ部２１から離間する位置に設けられている。したがって、第１の実施形態と比較して被係合部３６と滴下部１９とが離間した位置にあるため、点眼時に被係合部３６が邪魔にならない。
【００３７】
なお、本実施形態の閉栓部３５は、図６に示すように、天壁部２９の下面２９ａから垂下し、滴下部１９の先端を液密に嵌入させる環状の壁部３５ｗにより形成されている。環状の壁部３５ｗの内壁面と滴下部１９の外周面１９ｂとの当接により液密部Ｆが形成され、点眼液を液密に封止している。このような封止構造の場合であっても、回動軸線Ｌ１の高さ位置を滴下部１９の先端（液密部Ｆ）に近接する高さに位置させることで、上記第１の実施形態の閉栓時と同様の作用及び機能が発揮される。そして、本実施形態に係る点眼用容器１Ｂについても、第１の実施形態に係る点眼用容器１Ｂの場合と同様に、閉栓時の液密性を向上させることができる。
【００３８】
次に、本発明の第３の実施形態について図７〜図９を用いて説明する。本実施形態において第１の実施形態又は第２の実施形態と同一の構成については同一の符号を付し、その説明を省略する。
【００３９】
図７，図８に示すように、本実施形態に係る点眼用容器１Ｃは、係合部及び被係合部の構成が第１の実施形態及び第２の実施形態と異なっている。具体的には、固定部２０の上壁部４１に被係合部３６を形成するための突出部４３が備えられ、キャップ部２２が突出部４３を内包するように形成されている点で第１の実施形態及び第２の実施形態と異なっている。
【００４０】
図８に示すように、突出部４３は、内側板部４３ａと、頂板部４３ｂとを備えている。内側板部４３ａは、下周壁部２５の上端から内側に入り込んだ位置において立ち上がるように形成されている。頂板部４３ｂは、内側板部４３ａの上端から滴下部１９を突出させる開口部１４（把持壁部２７の上端）まで延びるように形成されている。
【００４１】
延出部４２は、正面視で注出ノズル３付近の下周壁部２５の上端からヒンジ部２１に向かって漸次幅寸法（図７の矢印Ｗ方向の寸法）を小さくしつつ、突出部４３を超えて上方に延び、滴下部１９の先端高さまで延出している。延出部４２は、図８の奥行き方向（回動軸線Ｌ１方向）に互いに対向するように設けられている。この延出部４２の上端部４２ａにはヒンジ部２１が固定部２０の外面から突出している。
この構成により、固定部２０は、下周壁部２５が液貯留器２の肩部１０上に設けられ、且つ、延出部４２が形成された部分を除いて、下周壁部２５の上端に突出部４３を形成する上壁部４１が設けられた構成を有する。
【００４２】
被係合部３６は、正面視で滴下部１９を境としてヒンジ部２１の反対側に位置する内側板部４３ａの表面に形成されている。さらに、被係合部３６は、滴下部１９の基端の張出壁部１８（開口部端）より低い位置に形成されている。また、被係合部３６は、回動軸線Ｌ１を中心として閉栓部３５が描く円周（図７に示す破線Ｒ１）の径方向に沿って（すなわち、係合部３８が描く曲線の接線に直交する角度で）傾斜して形成されている。
【００４３】
キャップ部２２の上周壁部２８は、二つの外側板部２８ａ，２８ａと、爪形成壁部２８ｂとを備えている。外側板部２８ａ，２８ａは、キャップ部２２の閉蓋時に内側板部４３ａに沿って垂下し、被係合部３６に対向配置される。爪形成壁部２８ｂは、正面視においてヒンジ部２１の反対側に位置し、外側板部２８ａ，２８ａどうしの間に配され、爪部３１が形成される。
【００４４】
外側板部２８ａの内壁面（すなわち閉蓋時に内側板部４３ａに対向する面）には、係合部３８が形成されている。図９に示すように、係合部３８は、キャップ部２２の閉蓋時に被係合部３６の直下（下周壁部２５側）となる位置に被係合部３６と平行に配される。
爪形成壁部２８ｂは、図９に示すように、キャップ部２２の閉蓋時に、天壁部２９から緩やかな傾斜面を形成しつつ下った後、ヒンジ部２１側に湾曲した凹み部５０を形成して水平方向に突出した爪部３１を形成している。さらに、爪形成壁部２８ｂは、凹み部５０の下方において下周壁部２５に向かって延びた爪下壁部５１を形成している。
【００４５】
本実施形態に係る点眼用容器１Ｃによれば、図７に示すように被係合部３６が、回動軸線Ｌ１を中心とする円周の径方向に沿って形成された側面視突条又は凹条で形成されている。すなわち、被係合部３６は、その形状に沿った補助線Ｍの延長線上に回動軸線Ｌ１が設けられている位置関係となっており、キャップ部２２を固定部２０により確実に固定させることができる。
【００４６】
また、被係合部３６を張出壁部１８よりも下方に設けたことによって、滴下部１９の近傍に延出部４２を設けることを回避することができる。したがって、点眼用容器１Ｃにより点眼する際に係合部が邪魔にならずに点眼することができる。
【００４７】
また、爪部３１は、閉蓋時に回動軸線Ｌ１と略同じ高さに形成されている。すなわち、爪部３１が、キャップ部２２を開閉させる際の回動動作においてキャップ部２２に対し力を最大に作用させやすい位置に形成されている。したがって、キャップ部２２の閉蓋時における係合部３８と被係合部３６との係合をより強く設定することができ、キャップ部２２が閉じた状態をより確実に保持することができる。
【００４８】
また、本実施形態に係る点眼用容器１Ｃによれば、爪部３１が上周壁部２８の鉛直方向中間部に形成され、爪部３１の下方に湾曲毛状の凹み部５０が形成され、凹み部５０の下方に爪下壁部５１が延びた構成となっている。したがって、ユーザーがキャップ部２２を開閉させる際に凹み部５０に安定的に指を掛けることができ、キャップ部２２の開閉が容易となる。
【００４９】
また、本実施形態に係る点眼用容器１Ｃでは、凹み部５０の下方に爪下壁部５１が設けられている。このため、ユーザーがキャップ部２２を開けるために凹み部５０に指を掛けた際に、爪下壁部５１が凹み部５０に掛けられた指と滴下部１９との間に位置する。この結果、キャップ部２２の開蓋時にユーザーの指がキャップ部２２の下方に入って滴下部１９に触れることを防止することができる。したがって、点眼用容器１Ｃによれば、キャップ部２２の開閉において滴下部１９を衛生的に保ちやすくなる。
【００５０】
また、本発明は、その本質を逸脱しない範囲において注出ノズル３その他の構成を適宜変更又は組み合わせて適用することができる。例えば図１０に示すように、滴下部１９の先端の外周面が突出した形状を有し、液密部が滴下部１９の先端に設けられる注出ノズル３Ａを用いてもよい。図１０に示す注出ノズル３Ａを図３に示す点眼用容器１Ａや図８に示す点眼用容器１Ｃに適用しても第１の実施形態と同様の作用機能及び効果、すなわち有効に液密性が担保できるヒンジキャップ構造の点眼用容器が得られる。
【００５１】
また、キャップ部２２が閉栓部３５を備えず、その下面２９ａを滴下部１９の先端に押し付けて滴下部１９の注液孔１６を液密に封止する場合は、ヒンジ部２１の回動軸線Ｌ１を下面２９ａと同一高さに設けることにより、第１の実施形態と同様の作用、機能及び効果を得ることができる。
【００５２】
また、第３の実施形態において、爪部３１の下方には、湾曲した凹み部５０が形成され、その下方に爪下壁部５１が形成された構成を有するが、爪部３１の下面は水平方向に延びた後、略鋭角に下方に折れ曲がり、爪下壁部５１に連なるように構成された凹み部５０を形成してもよい。
このような構成であっても、キャップ部２２の開閉時に指と滴下部１９の間に爪下壁部５１が存在し、指がキャップ部の下方に入り込んで滴下部１９に接触することを防止することができる。また、第１の実施形態および第２の実施形態のキャップ部２２において、第３の実施形態における凹み部５０を形成してもよい。
【００５３】
また、第１の実施形態の被係合部３６および係合部３８を、第３の実施形態のように、回動軸線Ｌ１を中心とする円周の径方向に沿って形成されてもよい。
【００５４】
以上、本発明の各実施形態を説明したが、本発明の技術範囲は上記実施形態のみに限定されるものではなく、本発明の趣旨を逸脱しない範囲において各実施形態における構成要素の組み合わせを変えたり、各構成要素に種々の変更を加えたり、削除したりすることが可能である。本発明は前述した説明によって限定されることはなく、添付のクレームの範囲によってのみ限定される。
【産業上の利用可能性】
【００５５】
上記点眼用容器によれば、ヒンジキャップの閉栓時に高い液密性が担保可能な点眼用容器を提供することができる。
【符号の説明】
【００５６】
１Ａ，１Ｂ，１Ｃ  点眼用容器
２  液貯留器
６ｔ  開口端部
１９ａ  先端部
１９  滴下部
２０  固定部
２１  ヒンジ部
２２  キャップ部
３１  爪部
３５  閉栓部
３６  被係合部
３８  係合部
Ｌ１  回動軸線
【図１】
0006512483.tif 000002
【図２Ａ】
0006512483.tif 000003
【図２Ｂ】
0006512483.tif 000004
【図３】
0006512483.tif 000005
【図４Ａ】
0006512483.tif 000006
【図４Ｂ】
0006512483.tif 000007
【図５】
0006512483.tif 000008
【図６】
0006512483.tif 000009
【図７】
0006512483.tif 000010
【図８】
0006512483.tif 000011
【図９】
0006512483.tif 000012
【図１０】
0006512483.tif 000013